(57)【要約】【課題】  フェードイン機能を使って撮影したシーンのサムネイルが真白となってしまうのを防ぐこと。【解決手段】  撮影時にエフェクトフラグ、及びサムネイル生成のオフセット時間を記録し、これらの撮影情報を元に適切にサムネイルを生成する。【選択図】  図１
2008011200.tif 000002
【特許請求の範囲】
【請求項１】
動画像データと、該動画像データを所定単位で管理する動画像データ管理単位を有する動画像データ管理情報を少なくとも記録媒体に記録、及び記録媒体から再生する動画像記録再生装置であって、
動画像を撮像する撮像手段と、
該撮像手段により撮像された撮像信号に所定の効果を重畳する画像効果重畳手段と、
該画像効果重畳手段を動作させるか否かを制御する画像効果重畳制御手段と、
少なくとも前記画像効果を重畳したか否かを少なくとも示す画像効果重畳情報を記録する動画像データ管理情報生成手段と、
前記動画像データから前記動画像データ管理単位ごとに静止画像を取り出し縮小画像を生成表示する代表画像生成手段を有し、
前記代表画像生成手段は前記画像効果重畳情報に応じて前記静止画像を取り出すことを特徴とする動画像記録再生装置。
【請求項２】
前記画像効果重畳情報とは、効果を重畳する期間を示す画像効果重畳期間情報を含み、
前記代表画像生成手段は前記画像効果期間情報に応じて前記静止画像を取り出すことを特徴とする請求項１記載の動画像記録再生装置。
【請求項３】
前記代表画像生成手段は前記画像効果期間情報に従い、画像効果を重畳していない期間から前記静止画像を取り出すことを特徴とする請求項２記載の動画像記録再生装置。
【請求項４】
前記代表画像生成手段は前記画像効果期間情報に従い、画像効果を重畳していない最初のフレームから前記静止画像を取り出すことを特徴とする請求項２記載の動画像記録再生装置。
【請求項５】
前記動画像効果重畳手段による効果とはフェードインであり、前記代表画像生成手段は該フェードイン効果が終了後の動画像データから前記静止画像を取り出すことを特徴とする請求項１、２、３、及び４記載の動画像記録再生装置。
【請求項６】
さらに前記代表画像生成手段が前記動画像効果重畳期間情報に従って前記静止画像を取り出すか否かを決定する静止画像選択方法決定手段を備えたことを特徴とする請求項１、２、３、４、及び５記載の動画像記録再生装置。
【請求項７】
前記静止画像が標準位置以外から取り出されたとき、標準位置ではないことを知らしめる表示を付加することを特徴とする請求項１、２、３、４、及び５記載の動画像記録再生装置。
【請求項８】
前記標準位置とは、前記動画像データ管理単位の先頭フレームであることを特徴とする請求項７記載の動画像記録再生装置。
【発明の詳細な説明】
【技術分野】
【０００１】
本発明は、デジタルビデオレコーダーやデジタルビデオカメラ等の動画像記録再生装置、及び記録再生方法に関するものである。
【背景技術】
【０００２】
今日、ビデオカメラは非特許文献１のように光ディスク等を記録媒体とした製品が増えてきている。
【０００３】
また従来のビデオテープと異なりランダムアクセス性にすぐれているため、撮影ごとに最初のフレームを縮小した所謂サムネイルを作成し、一覧表示をするなど操作性の向上をはかっている。
【０００４】
また非特許文献３にあるように、ビデオカメラには撮影時にフェードインなどの複数の特殊効果をつける機能が備わっているのが一般的である。
【０００５】
一方、特許文献１では、先頭から所定秒後から静止画を取り出す情報再生装置及び方法について開示されている。
【特許文献１】特許第３５５２２８３号公報
【非特許文献１】キヤノン株式会社  デジタルビデオカメラ（ＤＣ20/ＤＣ10）取扱説明書７７頁
【発明の開示】
【発明が解決しようとする課題】
【０００６】
しかしながら前記背景技術では、例えば全面白から始まるフェードイン機能を使って撮影すると、再生時にサムネイルがみな全面白色のみとなってしまい、選択に支障をきたす課題があった。
【０００７】
また、先頭から所定秒後に静止画を取り出す情報再生装置及び方法では一律ずらしてしまうため、必要のないものまで所定秒後となってしまう。
【課題を解決するための手段】
【０００８】
動画像データと、該動画像データを所定単位で管理する動画像データ管理単位を有する動画像データ管理情報を少なくとも記録媒体に記録、及び記録媒体から再生する動画像記録再生装置であって、動画像を撮像する撮像手段と、該撮像手段により撮像された撮像信号に所定の効果を重畳する画像効果重畳手段と、該画像効果重畳手段を動作させるか否かを制御する画像効果重畳制御手段と、少なくとも前記画像効果を重畳した期間を示す動画像効果重畳期間情報を記録する動画像データ管理情報生成手段と、前記動画像データから前記動画像データ管理単位ごとに静止画像を取り出し縮小画像を生成表示する代表画像生成手段を有し、前記代表画像生成手段は前記動画像効果重畳期間情報に従って前記静止画像を取り出すことを特徴とする動画像記録再生装置。
【０００９】
また、前記動画像効果重畳手段による効果とはフェードインであり、前記代表画像生成手段は該フェードイン効果が終了後の動画像データから前記静止画像を取り出すことを特徴とする動画像記録再生装置。
【００１０】
さらに前記代表画像生成手段が前記動画像効果重畳期間情報に従って前記静止画像を取り出すか否かを決定する静止画像選択方法決定手段を備えたことを特徴とする動画像記録再生装置。
【００１１】
また、前記静止画像が標準位置以外から取り出されたとき、標準位置ではないことを知らしめる表示を負荷することを特徴とする動画像記録再生装置。
【００１２】
また、前記標準位置とは、前記動画像データ管理単位の先頭フレームであることを特徴とする動画像記録再生装置。
【発明の効果】
【００１３】
フェードイン機能を使って撮影されたシーンに対応したサムネイルが真白などとなってしまい、撮影像を認識できなくなってしまうことを防ぐことが可能となる。
【００１４】
結果、再生時の操作性向上をはかることができる。
【発明を実施するための最良の形態】
【００１５】
＜第1の実施例＞
ビデオカメラの説明
図１はビデオカメラの内部構成を説明する図である。
【００１６】
１３０はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１３０によって、最終的に後述のCCD１３１の結像面上に被写体像が結像される。１３１はＣＣＤ（charge coupled device）であり、光を電荷に変換し撮像信号を生成する。
【００１７】
１３２はカメラ処理部であり、撮像信号に所定の処理を施しデジタル画像データを出力する。またフェードや縮小等の特殊機能も備えられている。
【００１８】
これらを総じてカメラユニットとする。また、図１には図示していないが、変倍レンズ群、絞りなどのアクチュエータ、手ぶれ補正のためのセンサー（例えば角速度センサー）、同補正手段（シフトレンズなど）が備えられている。１３５はカメラ制御マイクロコンピュータであり、後述のマイクロコンピュータ１１０の制御に従いカメラユニットを制御するものである。
【００１９】
１３３はマイクユニットである。マイクユニット１３３は撮影時に音声を集めるために備わっており、所定の増幅、帯域制限等が含まれる。１３４はA/D処理部であり、マイクユニット１３３の出力を受けデジタル音声データを出力する。
【００２０】
１１０はマイクロコンピュータであり、システム全体を制御する。マイクロコンピュータ１１０は、プログラムを格納する不揮発性メモリ（ROM）、作業領域となる揮発性メモリ（RAM）、他のハードウエアとデータの受け渡しや制御用レジスタをアクセスするための外部バス、時間を計測するタイマを少なくとも有している。１０３はバスである。バス１０３には各ブロックが接続されており、マイクロコンピュータ１１０の制御に従ってデータの受け渡しを行う伝送路である。
【００２１】
１０２はエンコーダ部であり、マイクロコンピュータ１１０の制御に従いデジタル画像データ、及びデジタル音声データを受け、MPEG（Moving Picture Experts Group）２方式で圧縮し、さらに時系列順に多重化して圧縮ビデオデータを生成する。また、エンコーダ部１０２には、例えばデータ位置とフレーム位置の変換に必要となる情報などをマイクロコンピュータ１１０に通知する機能を備えている。
【００２２】
１０４は制御回路であり、エンコーダ部１０２と、後述のメモリー１０６、光ディスク１２０、及びデコーダ部１０８とのインターフェースを有し、マイクロコンピュータ１１０の制御によってデータの受け渡しを制御する。１０６はメモリーであり、各ブロックが作業用に使用可能となっている。
【００２３】
１２０は光ディスクである。制御回路１０４は、バス１０３に接続されるマイクロコンピュータ１１０やメモリー１０６とのインターフェースと、光ディスク１２０とのインターフェースを有し、マイクロコンピュータ１１０等から光ディスク１２０の制御レジスタにアクセスするための変換を行うものである。なお光ディスク１２０はメディアそのもののみではなく、ヘッド、モータを含むメカデッキ、それらを制御する制御回路、及び制御回路１０４と接続可能なインターフェース（例えばATAPI  I/F）を有し、光ディスクにデータ等を読み書き可能なユニットのことである。制御回路１０４には、メモリー１０６の先頭アドレスとデータ量、及び光ディスク１２０の書き込む先頭セクタを指定することにより、読み出しまたは書き込みデータを自動転送する所謂ダイレクトメモリーアクセス（DMA）機能が備わっている。
【００２４】
１０８はデコーダ部であり、マイクロコンピュータ１１０に指定されたメモリー１０６のアドレスから圧縮ビデオデータや圧縮静止画データを逐次読み出し、例えばITU-R BT.656（CCIR656）等のデジタル映像信号、及びデジタル音声信号に変換し,出力する。圧縮静止画データの再生時には、必要があれば縮小処理を行なうことが出来るよう工夫されている。
【００２５】
１０７は音声出力部、１０９は映像出力部である。映像出力部１０９、音声出力部１０７はデコーダ部１０８によって変換されたデジタル映像信号、及びデジタル音声信号をそれぞれアナログ信号に変換し外部に出力するためのブロックであり、テレビジョン受像機等に接続される。１１６はスピーカーユニットであり、前述デジタル音声信号を受け音声を再生するためのものである。
【００２６】
１１３はオンスクリーンディスプレイ（OSD）部であり、各種設定メニューやタイトル、時間などの情報をビデオ出力に重畳させるものである。またOSD  部１１３には、デコーダ部１０８から入力されるデジタル映像信号をキャプチャーし、縮小処理を施し、任意の位置に重畳させる機能も兼ね備えている。
【００２７】
１１２は操作スイッチ群、１６２はトリガースイッチ、１６３はモードダイアルである。いずれもユーザー操作によって入力された信号をマイクロコンピュータ１１０が判定し動作させるものである。モードダイアル１６３は回転式スイッチであり、動画撮影を行なうカメラモード、主電源を遮断するオフモード、さらに撮影像の再生を行なう再生モードを選択するものである。トリガースイッチ１６２はカメラモードでは動画像記録開始要求、または停止要求としてマイクロコンピュータ１１０は認識する。１１５はリアルタイムクロックであり、カレンダー及び時刻情報をマイクロコンピュータ１１０に伝達するためのものである。また初期値とカウント開始命令はユーザーが操作スイッチ１１２によって入力し、マイクロコンピュータ１１０を介して与えられる。録画コンテンツに付与されるタイムスタンプ情報等に利用する。
【００２８】
マイクロコンピュータ１１０は所定のファイルシステムを扱うソフトウエアを搭載しており、このファイルシステムに従って光ディスク１２０へのデータの読み書きが行われる。
【００２９】
録画動作
次に動画像の録画動作の流れを説明する。まず電源を投入されるとマイクロコンピュータ１１０は光ディスク１２０から前述のファイルシステムに則って録画可能（空き）領域の検索を行う。この時録画可能容量を算出し、録画可能容量と録画モードから録画可能時間を算出する。以降録画中は録画可能容量の減少を監視し、定期的に録画可能時間を更新していく。マイクロコンピュータ１１０は常にスイッチの状態を検出し、ユーザーの操作を監視している。以下ユーザーの操作は断りのない限り操作スイッチ群１１２等のユーザーインターフェースを介してマイクロコンピュータ１１０に操作を伝えるものとする。次にユーザーが録画開始要求を発生させると、カメラ画像及び音声の記録を開始すべく、マイクロコンピュータ１１０が各ブロックを制御する。まずエンコーダ部１０２にはMPEG２エンコード処理を開始させ、圧縮ビデオデータを、制御回路１０４を介してメモリー１０６の所定アドレスを先頭に蓄積するよう制御する。所定量のデータを蓄積する毎にエンコーダ部１０２はマイクロコンピュータ１１０に割り込み等の手段により通知する。マイクロコンピュータ１１０はこの通知を受け、次に蓄積すべき先頭アドレスを制御回路１０４に通知する。さらにマイクロコンピュータ１１０はメモリ１０６に蓄積された圧縮ビデオデータを光ディスク１２０に書き込むよう光ディスク１２０及び制御回路１０４にコマンドを発行する。この時光ディスク１２０に書き込む領域はファイルシステムに則って検索された記録可能（空き）領域である。このエンコード処理から光ディスク１２０への書き込みまでの一連の処理が、録画停止要求が発生するまで繰り返される。記録した圧縮ビデオデータはチャプターとして管理される。
【００３０】
図２はフェードイン機能を使用して撮影したときの動作を説明するための図である。
【００３１】
２０３は時間軸であり、T1が撮影開始時刻、T3がフェード終了時刻のタイミングである。２０２はフェードのきき量であり、撮影開始時刻T1からフェード終了時刻T3に向かって徐々にフェードが解除されていくことをあらわしている。２０１＿１、２０１＿２、２０１＿３はそれぞれのタイミングでの記録画像である。
【００３２】
図３は記録時に作成される撮影情報である。４０２は撮影日時である。４０２はエフェクトフラグであり、エフェクトありのときには１、エフェクトなしでは０をセットする。４０４はオフセット時刻であり、エフェクトフラグ４０３が１のととき、その効果が解除される時刻が記録される。
【００３３】
図２の例ではそれぞれ下記のようになる。
【００３４】
撮影日時：T1
エフェクトフラグ：１
オフセット時間：T3
なおフェードインが複数種備えられた機器である場合、オフセット時間はそれぞれのフェードインに対応した時間を予めマイクロコンピュータ１１０に記憶させておき、選択されたフェードインに応じたオフセット時間を記録すれば良い。
【００３５】
再生動作
次に再生動作について説明する。やはりユーザーによる操作スイッチ群１１２の操作によって再生させたいシーンを選択する。シーンごとの代表画像（サムネイル）を表示し（以降インデックス画面とする）、ポインタを所望のコンテンツまで移動させ、決定することにより再生を開始するＵＩが一般的である。マイクロコンピュータ１１０は、このように決定したシーンのデジタルビデオデータを光ディスク１２０から読み出しを開始する。具体的には、録画時とは逆に光ディスク１２０から読み出しメモリー１０６に蓄積するよう制御回路１０４にコマンドを発行する。この時、録画時と同様に光ディスク１２０の読み出し先頭セクタ、メモリー１０６の書き込み先頭アドレス、データ量はマイクロコンピュータ１１０が指定する。次にマイクロコンピュータ１１０はデコーダ部１０８に対し、メモリー１０６に蓄積されたデジタルビデオデータをデコード処理するようコマンドを発行する。コンテンツが終了するか停止、または一時停止等のユーザー操作が加えられるまで、デコーダ部１０８にデコード処理するデジタルビデオデータが途切れることのないよう一連の処理が繰り返し実行される。
【００３６】
インデックス画面について
図４はインデックス画面例である。４０１はインデックス画面であり、１ページあたり最大６枚の代表画像（サムネイル）を表示するものとする。４０２、４０３、４０４、４０５、４０６はそれぞれ代表画像であり、各シーンに対応している。４１１はカーソルであり、ユーザーが代表画像を選択するための表示である。なお代表画像４０２から４０６は、各シーンの先頭フレーム、もしくは後述の本発明による所定フレームを縮小した画像となるが、図４では割愛している。（ＴＵＭＢ１〜５と表記）
本発明の特徴
従来では、再生時インデックス画面にて表示するサムネイルとして、記録開始時刻T1の記録画像２０１＿１を縮小した画像を使用していた。よって図２のような記録では、どれもサムネイルが真白になってしまい、区別がつかなくなってしまっていた。この問題を解決するための方法について図５のフローチャートを用いて説明する。
【００３７】
サムネイルを生成するときに実行される処理であり、ステップ５０１から開始される。
【００３８】
ステップ５０２はエフェクトフラグの値を判定し、１（エフェクトあり）のときステップ５０３へ、０（エフェクトなし）のときステップ５０４へそれぞれ遷移する。
【００３９】
ステップ５０３はオフセットの時間からサムネイルを作成する処理である。つまりオフセット時間４０４を参照してサムネイルを生成するフレームを決定する。結果記録開始時刻T3の画像からサムネイルを作成することとなる。
【００４０】
ステップ５０４は先頭フレームからからサムネイルを作成する処理である。フェードイン等のエフェクトがかかっていないのでずらす必要がない場合に処理である。
【００４１】
これまで説明してきたように本実施例によれば、フェードイン機能などの効果をつけて撮影した場合、つまり先頭フレームの撮影像が認識できない場合、サムネイル生成時にその効果が解除されるタイミングを適切に検出することが可能となり、サムネイルとするフレームをずらすことで全面白色というようなサムネイルを無くすことが可能となる。また必要のないシーンは従来通り先頭のシーンが選択され、不用意にサムネイルがずれてしまうこともない。
【００４２】
また、本体設定メニューなどにサムネイルをずらすか否かを設定する項目を設け、図５で説明した処理の無効にすることができても良い。
【００４３】
また、処理５０３にて作成したサムネイル画像にたいして先頭フレームではないことを知らしめるアイコンを重畳するなどして表示しても良い。
【図面の簡単な説明】
【００４４】
【図１】ビデオカメラの構成例を説明する図である。
【図２】フェードインの記録画像を説明する図である。
【図３】撮影情報を説明する図である。
【図４】インデックス画面の表示例である。
【図５】サムネイルを生成するフレーム選択を説明するフローチャートである。
【符号の説明】
【００４５】
１３０  レンズユニット
１３１  CCD（charge coupled device）
１３２  カメラ信号処理部
１３３  マイクユニット
１３４  A/D処理部
１３５  カメラ制御マイクロコンピュータ
１０２  エンコーダ部
１０３  バス
１０４  制御回路
１２０  光ディスク
１０６  メモリー
１０７  音声出力部
１０８  デコーダ部
１０９  映像出力部
１１３  OSD（オンスクリーンディスプレイ部）
１５０  EVF
１５１  液晶パネル
１５２  パネル開閉検出スイッチ
１１０  マイクロコンピュータ
１１２  操作スイッチ群
１６２  トリガースイッチ
１６３  モードダイアル
１１５  リアルタイムクロック
【図１】
2008011200.tif 000003
【図２】
2008011200.tif 000004
【図３】
2008011200.tif 000005
【図４】
2008011200.tif 000006
【図５】
2008011200.tif 000007